(57)【特許請求の範囲】
【請求項１】
ＳＣ−ＦＤＭＡ方式によりそれぞれ通信端末装置と通信を行う複数の基地局装置を管理するネットワーク管理装置であって、
前記複数の基地局装置のうち少なくとも１つに対して、上りプリアンブルに関するパラメータを決定するパラメータ決定手段と、
決定された前記パラメータを、そのパラメータが決定された前記基地局装置に対して通知するパラメータ通知手段と、を具備し、
前記パラメータ決定手段は、
前記複数の基地局装置のうち少なくとも２つの間で、前記プリアンブルの送信系列が重複しないように、前記パラメータを決定する、
ネットワーク管理装置。
【請求項２】
前記パラメータは、前記プリアンブルの、送信タイミング情報、送信系列情報、及び周波数配置情報を含む、
請求項１記載のネットワーク管理装置。
【請求項３】
前記パラメータ決定手段は、
前記送信系列が異なるように前記パラメータが決定される前記２つ以上の基地局装置の間で、前記プリアンブルの周波数位置が重複するように、前記パラメータを決定する、
請求項１記載のネットワーク管理装置。
【請求項４】
前記複数の基地局装置は、マクロ基地局装置と小型基地局装置とを含み、
前記マクロ基地局装置の前記パラメータを取得するパラメータ取得手段、を更に具備する、
請求項３記載のネットワーク管理装置。
【請求項５】
前記パラメータ決定手段は、
取得された前記マクロ基地局装置の前記パラメータに基づいて、前記マクロ基地局装置と前記小型基地局装置との間で前記送信系列が異なるように、前記パラメータを決定する、
請求項４記載のネットワーク管理装置。
【請求項６】
前記複数の基地局装置は、複数の小型基地局装置を含み、
前記パラメータ決定手段は、
取得された前記マクロ基地局装置の前記パラメータに基づいて、前記マクロ基地局装置と前記複数の小型基地局装置との間で周波数位置が異なるように、前記パラメータを決定する、
請求項４記載のネットワーク管理装置。
【請求項７】
請求項１記載のネットワーク管理装置から通知される前記パラメータに従って通信を行う前記基地局装置であって、
無線信号を受信する受信手段と、
受信された前記無線信号に対するピークサーチにより、前記プリアンブルの検出を行うプリアンブル検出手段と、を具備し、
前記プリアンブル検出手段は、
他の基地局装置が行うピークサーチ範囲よりも狭い範囲に対して、前記ピークサーチを行う、
基地局装置。
【請求項８】
ＳＣ−ＦＤＭＡ方式によりそれぞれ通信端末装置と通信を行う複数の基地局装置を管理するネットワーク管理方法であって、
前記複数の基地局装置のうち少なくとも１つに対して、上りプリアンブルに関するパラメータを決定するステップと、
決定した前記パラメータを、そのパラメータが決定された前記基地局装置に対して通知するステップと、を具備し、
前記パラメータを決定する上記ステップは、
前記複数の基地局装置のうち少なくとも２つの間で、前記プリアンブルの送信系列が重複しないように、前記パラメータを決定する、
ネットワーク管理方法。
【発明の詳細な説明】
【技術分野】
【０００１】
本発明は、ネットワーク管理装置、基地局装置及びネットワーク管理方法に関し、特にセル間のプリアンブルの干渉を緩和するネットワーク管理装置、基地局装置及びネットワーク管理方法に関する。
【背景技術】
【０００２】
移動体通信の通信規格の一つであるＬＴＥ（long term evolution）は、従来の通信規格と比較して、周波数利用効率の向上及び低遅延を特徴とするものであり、将来の移動体通信ビジネスの発展を支える規格として期待されている。
【０００３】
ＬＴＥの上り変調方式にはＳＣ−ＦＤＭＡ（single carrier - frequency division multiplexing access）方式が採用されており、周波数領域における情報シンボルの最小単位は１サブキャリアとなる。１２サブキャリアは、１リソースブロック（resource block）（以下、「ＲＢ」と記載する）と呼ばれ、各上りチャネルの割り当て単位となる。上りチャネルには、ＰＵＣＣＨ（physical uplink control channel）ｆｏｒｍａｔ  ２、ＰＵＣＣＨ  ｆｏｒｍａｔ  １、ＰＲＡＣＨ（physical random access channel）、及びＰＵＳＣＨ（physical uplink shared channel）が配置される。各チャネルの周波数位置、サブフレームタイミング、及び使用ＲＢ数は、基地局装置のスケジューラによって決定される（例えば非特許文献１参照）。
【０００４】
時間方向で見ると、各チャネルの送信割り当て単位は、１サブフレームと呼ばれ、ｎｏｒｍａｌ  ＣＰ（cyclic prefix）時には１４ＳＣ−ＦＤＭＡシンボルで構成される。なお、Ｅｘｔｅｎｄｅｄ  ＣＰ時には、１サブフレームは１２ＳＣ−ＦＤＭＡシンボルで構成される。ＰＵＳＣＨ及びＰＵＣＣＨは、１サブフレーム単位でスケジューリングされる。ＰＲＡＣＨではプリアンブルと呼ばれる初期接続信号が送信され、割り当て単位は、基地局装置のセル半径等に応じて、１〜３サブフレームの範囲で動的に設定される。
【０００５】
一方、近年、携帯電話の不感地帯をカバーするために、ピコセル（pico cell）またはＨｏｍｅ  ｅＮＢ（以下、「ＨｅＮＢ」と記載する）と呼ばれる小型基地局装置の開発が行われている。ＨｅＮＢは、主に宅内に設置することを想定しており、収容端末数は、一般的には数個、多くても数十個程度と言われる。また、ＨｅＮＢが形成するセルは、従来のマクロ基地局装置（以下、「ＭｅＮＢ」と記載する）が形成するセルよりも小さい。また、ＨｅＮＢ及びＭｅＮＢの配下にある通信端末装置の何れもが、上記のフレーム構成を有するＳＣ−ＦＤＭＡ方式により、その属するＨｅＮＢまたはＭｅＮＢと通信を行う。
【０００６】
従来のＭｅＮＢは、事前に通信事業者が適切な基置局設計を行って設置されるため、セル間干渉はさほど問題にならない。一方、ＨｅＮＢは、エンドユーザが任意の場所に設置可能なため、ＭｅＮＢとの干渉が大きな問題となる。とりわけ、上りランダムアクセスにおけるプリアンブルへの干渉が生じると、ＨｅＮＢ配下の移動局（以下、「ＨＵＥ」と記載する）の初期接続に重大な支障をきたす。
【０００７】
このような干渉を防ぐため、移動体通信規格の標準化団体である３ＧＰＰ（3rd Generation Partnership Project）では、非特許文献２記載の技術に代表されるように、様々な技術提案がなされている。非特許文献２には、ＭｅＮＢのリソースの一部をＨｅＮＢのプリアンブル用に空け、各基地局装置の配下の通信端末装置が送信するプリアンブルが互いに干渉することを防ぐ技術が記載されている。
【先行技術文献】
【非特許文献】
【０００８】
【非特許文献１】3GPP TS 36.211 V8.9.0, "Physical Channels and Modulation"
【非特許文献２】R1-103574 "Inter-cell Interference Mitigation between PRACH and PUCCH/PUSCH in Heterogeneous Networks"(MediaTek Inc.)
【発明の概要】
【発明が解決しようとする課題】
【０００９】
しかしながら、非特許文献２記載の技術においては、ＭｅＮＢと干渉を起こし得るＨｅＮＢの台数分、ＭｅＮＢのリソースを空けることになる。すなわち、非特許文献２記載の技術には、ＨｅＮＢの数が増えた場合に、ＭｅＮＢのリソースが逼迫するという問題がある。
【００１０】
本発明の目的は、所定のリソースを確保しつつ、セル間のプリアンブルの干渉を抑制することができるネットワーク管理装置、基地局装置及びネットワーク管理方法を提供することである。
【課題を解決するための手段】
【００１１】
本発明のネットワーク管理装置は、ＳＣ−ＦＤＭＡ方式によりそれぞれ通信端末装置と通信を行う複数の基地局装置を管理するネットワーク管理装置であって、前記複数の基地局装置のうち少なくとも１つに対して、上りプリアンブルに関するパラメータを決定するパラメータ決定手段と、決定された前記パラメータを、そのパラメータが決定された前記基地局装置に対して通知するパラメータ通知手段とを具備し、前記パラメータ決定手段は、前記複数の基地局装置のうち少なくとも２つの間で、前記プリアンブルの送信系列が重複しないように、前記パラメータを決定する。
【００１２】
本発明の基地局装置は、上記ネットワーク管理装置から通知される前記パラメータに従って通信を行う前記基地局装置であって、無線信号を受信する受信手段と、受信された前記無線信号に対するピークサーチにより、前記プリアンブルの検出を行うプリアンブル検出手段とを具備し、前記プリアンブル検出手段は、他の基地局装置が行うピークサーチ範囲よりも狭い範囲に対して、前記ピークサーチを行う。
【００１３】
本発明のネットワーク管理方法は、ＳＣ−ＦＤＭＡ方式によりそれぞれ通信端末装置と通信を行う複数の基地局装置を管理するネットワーク管理方法であって、前記複数の基地局装置のうち少なくとも１つに対して、上りプリアンブルに関するパラメータを決定するステップと、決定した前記パラメータを、そのパラメータが決定された前記基地局装置に対して通知するステップとを具備し、前記パラメータを決定する上記ステップは、前記複数の基地局装置のうち少なくとも２つの間で、前記プリアンブルの送信系列が重複しないように、前記パラメータを決定する。
【発明の効果】
【００１４】
本発明によれば、所定のリソースを確保しつつ、セル間のプリアンブルの干渉を抑制することができる。
【図面の簡単な説明】
【００１５】
【図１】本発明の実施の形態１に係るネットワーク管理装置を含むネットワークシステムの構成を示すシステム構成図
【図２】本発明の実施の形態１に係るネットワーク管理装置としてのＦＧＷの構成を示すブロック図
【図３】本発明の実施の形態１におけるＬＴＥ上りフレームフォーマットを模式的に示す図
【図４】本発明の実施の形態１に係るＦＧＷの動作の一例を示すフローチャート
【図５】本発明の実施の形態１におけるＰＲＡＣＨパラメータの一例を示す図
【図６】本発明の実施の形態１における二次パラメータの一例を示す図
【図７】本発明の実施の形態１におけるネットワームシステム全体の動作の一例を示すシーケンス図
【図８】本発明の実施の形態１におけるプリアンブル系列の構成の一例を示す図
【図９】本発明の実施の形態１におけるプリアンブル系列の構成の他の例を示す図
【図１０】本発明の実施の形態１におけるＭｅＮＢの上りフレームフォーマットの一例を示す図
【図１１】本発明の実施の形態１における第１のＨｅＮＢの上りフレームフォーマットの一例を示す図
【図１２】本発明の実施の形態１における第２のＨｅＮＢの上りフレームフォーマットの一例を示す図
【図１３】本発明の実施の形態１におけるネットワークシステム全体の上りフレームフォーマットの一例を示す図
【図１４】本発明の実施の形態２に係るネットワーク管理装置の動作の一例を示すフローチャート
【図１５】本発明の実施の形態２におけるＰＲＡＣＨパラメータの値の一例を示す図
【図１６】本発明の実施の形態２における二次パラメータの一例を示す図
【図１７】本発明の実施の形態２におけるＭｅＮＢの上りフレームフォーマットの一例を示す図
【図１８】本発明の実施の形態２における第１のＨｅＮＢの上りフレームフォーマットの一例を示す図
【図１９】本発明の実施の形態２における第２のＨｅＮＢの上りフレームフォーマットの一例を示す図
【図２０】本発明の実施の形態２におけるネットワークシステム全体の上りフレームフォーマットの一例を示す図
【図２１】本発明の実施の形態３に係る基地局装置としてのＨｅＮＢの構成の一例を示すブロック図
【図２２】本発明の実施の形態３に係るＨｅＮＢの効果を説明するための図
【図２３】本発明の実施の形態３におけるＭｅＮＢによるピークサーチ範囲を示す図
【発明を実施するための形態】
【００１６】
以下、本発明の各実施の形態について、図面を参照して詳細に説明する。
【００１７】
（実施の形態１）
図１は、本発明の実施の形態１に係るネットワーク管理装置を含むネットワークシステムの構成を示すシステム構成図である。
【００１８】
図１に示すように、ネットワークシステム１００は、ＭｅＮＢ２００と、ＭｅＮＢ２００の配下のＭＵＥ２１０と、第１のＨｅＮＢ３００と、第１のＨｅＮＢ３００の配下の第１のＨＵＥ３１０と、第２のＨｅＮＢ４００と、第２のＨｅＮＢ４００の配下の第２のＨＵＥ４１０とから主に構成される。これらの装置は、何れもＬＴＥに準拠した基地局装置または通信端末装置である。また、ネットワークシステム１００は、ＭｅＮＢ２００と、第１のＨｅＮＢ３００及び第２のＨｅＮＢ４００とを接続する、フェムトゲートウェイ（femto gateway）装置５００を配置している。フェムトゲートウェイ装置（以下、「ＦＧＷ」と記載する）５００は、本発明に係るネットワーク管理装置に対応する。
【００１９】
第１のＨｅＮＢ３００の第１のセル３２０と、第２のＨｅＮＢ４００の第２のセル４２０は、何れも、ＭｅＮＢ２００のセル２２０に内包されている。したがって、ＭＵＥ２１０から送信されるプリアンブルと、第１のＨＵＥ３１０及び第２のＨＵＥ４１０から送信されるプリアンブルは、互いに干渉し得る。
【００２０】
そこで、ＦＧＷ５００は、この干渉が抑制されるように、第１のＨＵＥ３１０及び第２のＨＵＥ４１０のプリアンブルに関するパラメータを決定する。具体的には、ＦＧＷ５００は、ＭｅＮＢ２００と、第１のＨＵＥ３１０及び第２のＨＵＥ４１０との間で、上りプリアンブルの送信系列が重複しないように、上記パラメータを決定する。これにより、ネットワークシステム１００は、所定のリソースを確保しつつ、セル間の上りプリアンブルの干渉の抑制を図る。
【００２１】
図２は、ＦＧＷ５００の構成を示すブロック図である。
【００２２】
図２に示すように、ＦＧＷ５００は、通信部５１０と、パラメータ取得部５２０と、パラメータ決定部５３０と、パラメータ通知部５４０とから主に構成される。
【００２３】
通信部５１０は、有線または無線により、ＭｅＮＢ２００、第１のＨｅＮＢ３００、及び第２のＨｅＮＢ４００のそれぞれと、通信可能に接続する。
【００２４】
パラメータ取得部５２０は、通信部５１０を介して、ＭｅＮＢ２００とネゴシエーションを行い、ＭｅＮＢ２００からＭｅＮＢ２００のプリアンブルに関するパラメータを取得する。また、パラメータ取得部５２０は、取得したパラメータを、パラメータ決定部５３０へ出力する。このパラメータの詳細については後述する。ＭｅＮＢ２００のプリアンブルに関するパラメータは、既定値とし、以下、適宜「ＰＲＡＣＨパラメータｍ」と記載する。
【００２５】
パラメータ決定部５３０は、入力されたＭｅＮＢ２００の上記パラメータに基づいて、第１のＨｅＮＢ３００及び第２のＨｅＮＢ４００に対して、それぞれのプリアンブルに関するパラメータを決定する。以下、第１のＨｅＮＢ３００に対して決定されるパラメータを、適宜「ＰＲＡＣＨパラメータｈ１」と記載する。また、第２のＨｅＮＢ４００に対して決定されるパラメータを、適宜「ＰＲＡＣＨパラメータｈ２」と記載する。
【００２６】
ここで、パラメータ決定部５３０は、ＭｅＮＢ２００と、第１のＨｅＮＢ３００及び第２のＨｅＮＢ４００との間で、プリアンブルの送信系列が重複しないように、ＰＲＡＣＨパラメータｈ１及びＰＲＡＣＨパラメータｈ２を決定する。また、パラメータ決定部５３０は、決定したＰＲＡＣＨパラメータｈ１及びＰＲＡＣＨパラメータｈ２を、パラメータ通知部５４０へ出力する。
【００２７】
パラメータ通知部５４０は、入力されたＰＲＡＣＨパラメータｈ１を、通信部５１０を介して第１のＨｅＮＢ３００へ通知し、入力されたＰＲＡＣＨパラメータｈ２を、通信部５１０を介して第２のＨｅＮＢ４００へ通知する。
【００２８】
ＦＧＷ５００は、図示しないが、例えば、ＣＰＵ（central processing unit）及びＲＡＭ（random access memory）等の記憶媒体を有する。この場合、上述の各機能部は、ＣＰＵが制御プログラムを実行することにより実現される。
【００２９】
このような構成を有するＦＧＷ５００は、ＭｅＮＢ２００と第１のＨＵＥ３１０及び第２のＨＵＥ４１０との間で、プリアンブルの送信系列が重複しないようにすることができる。これにより、ネットワークシステム１００は、所定のリソースを確保しつつ、セル間のプリアンブルの干渉を抑制することができる。
【００３０】
ここで、ネットワークシステム１００におけるサブフレームＴのフレームフォーマット（以下「ＬＴＥ上りフレームフォーマット」と記載する）について説明する。
【００３１】
図３は、ＬＴＥ上りフレームフォーマットを模式的に示す図である。
【００３２】
図３において、横軸は時間を示し、縦軸は周波数を示す。縦のハッチングの領域は、ＰＵＣＣＨ  ｆｏｒｍａｔ  １を示し、斜めのハッチングの領域は、ＰＵＣＣＨ  ｆｏｒｍａｔ  ２を示す。横のハッチングの領域は、ＰＲＡＣＨを示す。ドットの領域は、ＰＵＳＣＨを示す。
【００３３】
ＰＵＣＣＨ  ｆｏｒｍａｔ  １は、下りＡＣＫ／ＮＡＣＫ情報を重畳するための領域であり、１ＲＢで構成される。ＰＵＣＣＨｆｏｒｍａｔ  ２は、下り伝播路品質情報（ＣＱＩ：channel quality indicator）を重畳するための領域であり、１ＲＢで構成される。ＰＲＡＣＨは、移動局装置が初期接続信号を送信するための領域であり、計６ＲＢで構成される。ＰＵＳＣＨは、データ信号を重畳するための領域である。
【００３４】
上りチャネル帯域の両端にはＰＵＣＣＨ  ｆｏｒｍａｔ  ２が配置され、その内側にはＰＵＣＣＨ  ｆｏｒｍａｔ  １が配置される。これらのＰＵＣＣＨは、同一セル内でコード多重または周波数多重が可能な構成となっている。ＰＲＡＣＨは、あらかじめ基地局装置が定めた周波数位置及びサブフレームタイミングに配置される。ＰＵＳＣＨは、残りの帯域に配置される。各通信端末装置の使用ＲＢ数は、基地局装置のスケジューラによって決定される。
【００３５】
すなわち、各通信端末装置が使用するＰＲＡＣＨの、サブフレームタイミング（送信タイミング）、送信系列、及び周波数位置（周波数配置）は、その通信端末装置が属する基地局装置により、所定の範囲内で任意に設定される。ＭｅＮＢ２００、第１のＨｅＮＢ３００、及び第２のＨｅＮＢ４００は、ＦＧＷ５００から通知される上述のパラメータに従って、配下のＭＵＥ２１０、第１のＨＵＥ３１０、及び第２のＨＵＥ４１０の通信を制御する。
【００３６】
次に、ＦＧＷ５００の動作について説明する。
【００３７】
図４は、ＦＧＷ５００の動作の一例を示すフローチャートである。ＦＧＷ５００は、図４に示す処理を、例えば、無線基地局の追加等、ネットワーク構成に変化が生じる毎に実行する。
【００３８】
まず、ステップＳＴ１１００において、パラメータ取得部５２０は、以下に示すパラメータをＰＲＡＣＨパラメータｍとして返信する旨を要求するパラメータ要求信号を、ＭｅＮＢ２００へ送信する。
（１）ＰＲＡＣＨ構成指数(PRACH configuration index)：ＰＲＡＣＨプリアンブル（以下単に「プリアンブル」と記載する）のフォーマット形式及び送信タイミングを示す情報。以下「送信タイミング値」と記載する。
（２）論理基底系列値（logical root sequence number）：プリアンブルの送信系列を示す情報。以下「論理系列値」と記載する。
（３）ＮＣＳ構成（NCS configuration）：サイクリックシフトの量を示す情報。以下、「ＮＣＳ構成値」と記載する。
（４）高速フラグ値（high speed flag）：セルが高速移動環境に対応しているか否かを示す情報である。
（５）周波数位置（frequency position）：プリアンブルの周波数位置を示す情報である。以下「周波数開始番号」と記載する。
【００３９】
そして、ステップＳＴ１２００において、パラメータ取得部５２０は、ＭｅＮＢ２００から返信されるＰＲＡＣＨパラメータｍを受信し、パラメータ決定部５３０へ出力する。
【００４０】
図５は、ＭｅＮＢ２００から返信されるＰＲＡＣＨパラメータｍの値の一例と、この値に基づいて決定される後述のＰＲＡＣＨパラメータｈ１、ｈ２の値の一例とを示す図である。
【００４１】
図５に示すように、ＰＲＡＣＨパラメータｍは、送信タイミング値、論理系列値、ＮＣＳ構成値、高速フラグ値、及び周波数開始番号から構成される。送信タイミング値＝０は、フレーム番号が偶数、かつサブフレーム番号が１（以降、サブフレームＴとする）のタイミングがプリアンブルの送信タイミングであることを示す。高速フラグ値＝０は、セルが高速移動環境に対応していないことを示す。周波数開始番号＝３は、番号３の周波数位置から計６ＲＢの周波数帯域（ＲＢ番号３〜８）がプリアンブルの送信に使用されることを示す。
【００４２】
そして、図４のステップＳＴ１３００において、パラメータ決定部５３０は、入力されたＰＲＡＣＨパラメータｍから、ＭｅＮＢ２００の物理基底系列値（physical root sequence number）を算出する。物理基底系列値は、論理系列値及びＮＣＳ構成値と相関を有し、プリアンブルの送信系列を規定する値である。物理基底系列値は、以下「物理系列値」と記載する。
【００４３】
具体的には、パラメータ決定部５３０は、以下のようにしてＭｅＮＢ２００が使用する物理系列値を算出する。
【００４４】
まず、パラメータ決定部５３０は、ＰＲＡＣＨパラメータｍの送信タイミング値、ＮＣＳ構成値、及び高速フラグ値から、予め保持する変換テーブル（例えば非特許文献１に記載の変換テーブル）を用いて、二次パラメータを求める。ここで、二次パラメータとは、ＮＺＣ、ＮＣＳ、及び物理系列値ｕである。
【００４５】
そして、パラメータ決定部５３０は、求めたＮＺＣ及びＮＣＳから、以下の式（１）を用いて、ＭｅＮＢ２００が使用する物理系列値数Ｍｍを求める。
【数１】
0005331763.tif 000002
【００４６】
図６は、ＰＲＡＣＨパラメータｍから求められる二次パラメータの値の一例を示す図である。なお、ここでは、ＲＡＣＨパラメータｍから生成される二次パラメータの値に基づいて決定される、後述のＰＲＡＣＨパラメータｈ１、ｈ２に関する二次パラメータの値の一例についても併せて図示する。
【００４７】
例えば、図５に示す例のＰＲＡＣＨパラメータｍが入力された場合、送信タイミング値＝０、ＮＣＳ構成値＝５であることから、ＮＺＣ及びＮＣＳは、図６に示すように、ＮＺＣ＝８３９、ＮＣＳ＝２６となる。これらの値と式（１）より、Ｍｍ＝２となる。このＭｍと論理系列値＝３０とから、ＭｅＮＢが使用する物理系列値ｕは、ｕ＝８０、７５９となる。
【００４８】
そして、図４のステップＳＴ１４００において、パラメータ決定部５３０は、求めた物理系列値から、ＭｅＮＢ２００が使用する論理系列値を求める。
【００４９】
具体的には、パラメータ決定部５３０は、ＰＲＡＣＨパラメータｍの論理系列値を起点する物理系列値数Ｍｍの範囲を、ＭｅＮＢ２００が使用する論理系列値とする。
【００５０】
例えば、図５に示す例のＰＲＡＣＨパラメータｍが入力された場合、上述の通り物理系列値数Ｍｍが「２」となり、ＰＲＡＣＨパラメータｍの論理系列値は「３０」であることから、ＭｅＮＢ２００が使用する論理系列値は「３０、３１」となる。
【００５１】
そして、ステップＳＴ１５００において、パラメータ決定部５３０は、ＭｅＮＢ２００が使用する論理系列値以外の任意の値を、第１のＨｅＮＢ３００及び第２のＨｅＮＢ４００が使用する論理系列値に決定する。
【００５２】
例えば、図５に示す例のＰＲＡＣＨパラメータｍが入力された場合、上述の通りＭｅＮＢ２００が使用する論理系列値は「３０、３１」となることから、パラメータ決定部５３０は、例えば、それぞれ「３２、３３」を決定する。このとき、第１のＨｅＮＢ３００の物理系列値ｕ及び第２のＨｅＮＢ４００の物理系列値ｕは、上述の変換テーブルに基づき、図６に示すように、それぞれ「４２」、「７９７」となる。
【００５３】
そして、ステップＳＴ１６００において、パラメータ決定部５３０は、ＰＲＡＣＨの周波数位置がＭｅＮＢ２００、第１のＨｅＮＢ３００、及び第２のＨｅＮＢ４００で重複するように、ＰＲＡＣＨパラメータｈ１、ｈ２の残りの値を決定する。そして、パラメータ決定部５３０は、決定されたＰＲＡＣＨパラメータｈ１、ｈ２を、パラメータ通知部５４０へ出力する。
【００５４】
具体的には、本実施の形態では、パラメータ決定部５３０は、送信タイミング値、論理系列値、ＮＣＳ構成値、高速フラグ値、及び周波数開始番号を、それぞれＰＲＡＣＨパラメータｈ１、ｈ２で共通の値に決定する。
【００５５】
例えば、図５に示すように、パラメータ決定部５３０は、ＰＲＡＣＨパラメータｈ１、ｈ２の送信タイミング値、高速フラグ値、及び周波数開始番号を、全てＰＲＡＣＨパラメータｍの値と同じ値に設定する。
【００５６】
また、例えば、図５に示すように、パラメータ決定部５３０は、ＰＲＡＣＨパラメータｈ１、ｈ２のＮＣＳ構成値を、「０」以外のできるだけ小さい値である「１」に設定する。これは、ＮＣＳの値が大きくなると、広範囲なセルカバレッジを実現できる反面多くの無線リソースを消費することになるが、ＨｅＮＢの場合は、セル半径が非常に小さく、カバレッジを広げる必要性が低いためである。なお、このときの第１のＨｅＮＢ３００及び第２のＨｅＮＢ４００のＮＣＳは、上述の変換テーブルにより、図６に示すように、いずれも「１３」となる。
【００５７】
そして、図４のステップＳＴ１７００において、パラメータ通知部５４０は、入力されたＰＲＡＣＨパラメータｈ１を、第１のＨｅＮＢ３００へ送信し、入力されたＰＲＡＣＨパラメータｈ２を、第２のＨｅＮＢ４００へ送信する。
【００５８】
このような動作により、ＦＧＷ５００は、ＭｅＮＢ２００と第１のＨＵＥ３１０及び第２のＨＵＥ４１０との間で、プリアンブルの送信系列が重複しないようにすることができる。
【００５９】
次に、ネットワームシステム１００全体の動作について説明する。
【００６０】
図７は、ネットワームシステム１００全体の動作の一例を示すシーケンス図である。
【００６１】
まず、ＦＧＷ５００は、ＭｅＮＢ２００に対してパラメータ要求信号を送信し（ＳＴ１０１）、その応答としてＰＲＡＣＨパラメータｍを受信する（ＳＴ１０２）。そして、ＦＧＷ５００は、ＭｅＮＢ２００と送信系列が重複しないようにＰＲＡＣＨパラメータｈ１、ｈ２を決定し（ＳＴ１０３）、第１のＨｅＮＢ３００及び第２のＨｅＮＢ４００へそれぞれ配信する（ＳＴ１０４、ＳＴ１０５）。なお、この際、ＦＧＷ５００は、上述の二次パラメータ（ＮＺＣ、ＮＣＳ、ｕ）を配信する必要は無い。
【００６２】
ＭｅＮＢ２００は、ＰＲＡＣＨパラメータｍを、報知チャネルによりＭＵＥ２１０へ送信する（ＳＴ１０６）。同様に、第１のＨｅＮＢ３００及び第２のＨｅＮＢ４００は、配信されたＰＲＡＣＨパラメータｈ１、ｈ２を、報知チャネルにより第１のＨＵＥ３１０及び第２のＨＵＥ４１０へそれぞれ送信する（ＳＴ１０７、ＳＴ１０８）。
【００６３】
ＭｅＮＢ２００、第１のＨｅＮＢ３００、及び第２のＨｅＮＢ４００は、自セル内の他の通信端末装置（図示せず。ＭＵＥｘ、ＨＵＥ１ｘ、ＨＵＥ２ｘとする）に対し、スケジューリングを行う（ＳＴ１０９、ＳＴ１１０、ＳＴ１１１）。このスケジューリングは、ＰＵＳＣＨ等、ＰＲＡＣＨ以外のチャネルをサブフレームＴに割り当てる処理である。この際、ＭｅＮＢ２００、第１のＨｅＮＢ３００、及び第２のＨｅＮＢ４００は、ＰＲＡＣＨが割り当てられるＲＢ番号３〜８と重複しないように、ＰＲＡＣＨ以外のチャネルに対してＲＢ番号を割り当てる。
【００６４】
そして、ＭｅＮＢ２００は、生成したスケジューリング情報を、ＭＵＥｘに対して、上りリンクスケジューリンググラント（UL grant）ｍとして送信する（ＳＴ１１２）。第１のＨｅＮＢ３００は、生成したスケジューリング情報を、ＨＵＥ１ｘに対して、上りリンクスケジューリンググラントｈ１として送信する（ＳＴ１１３）。第２のＨｅＮＢ４００は、生成したスケジューリング情報を、ＨＵＥ２ｘに対して、上りリンクスケジューリンググラントｈ２として送信する（ＳＴ１１４）。
【００６５】
一方、ＭＵＥ２１０、第１のＨＵＥ３１０、及び第２のＨＵＥ４１０は、それぞれ受信したＰＲＡＣＨパラメータｍ、ｈ１、ｈ２に基づき、プリアンブル系列候補群を生成し、その中からサブフレームＴに送信するプリアンブル系列を選択する（ＳＴ１１５、ＳＴ１１６、ＳＴ１１７）。
【００６６】
このプリアンブル系列の選択の詳細について、ＦＤＤ（frequency division duplex）モードの場合を例として説明する。
【００６７】
通信端末装置は、まず、以下の式（２）で表される、プリアンブル系列の元となるＺａｄｏｆｆ−Ｃｈｕ（ＺＣ）系列に対して、以下の式（３）で表される巡回シフトを行う。これにより、通信端末装置は、ＰＲＡＣＨで送信する信号系列（プリアンブル系列）を得る。なお、ここで、ＮＺＣは、系列長であり、送信タイミング値から一意に求められる値である。ｕは、物理系列値と呼ばれ、論理系列値及びＮＣＳ構成値から、１つまたは複数の値が選択される。また、Ｃｖは、巡回シフト量である。
【数２】
0005331763.tif 000003
【数３】
0005331763.tif 000004
【００６８】
巡回シフト量Ｃｖは、セルが高速移動環境に対応していない場合（つまり高速フラグ値＝０の場合）、以下の式（４）で表される。
【数４】
0005331763.tif 000005
【００６９】
ここで、ＮＣＳは、巡回シフトのシフト単位であり、ＮＣＳ構成値及び高速フラグ値から一意に求められる値である。ＮＣＳ＝０の場合は、巡回シフトが行われないことを示す。
【００７０】
通信端末装置は、このようにＰＲＡＣＨパラメータのうち周波数開始番号を除く４つのパラメータから、ＮＺＣ、ＮＣＳ、ｕを決定し、物理系列値ｕの候補群の中から１つをランダムに選択して、基地局装置へのプリアンブルの送信を行う。
【００７１】
図８は、例１として、送信タイミング値＝０、論理系列＝２４、ＮＣＳ構成値＝１、高速フラグ値＝０のときの、プリアンブル系列の構成を示す図である。また、図９は、例２として、送信タイミング値＝０、論理系列＝３０、ＮＣＳ構成値＝５、高速フラグ値＝０のときの、プリアンブル系列の構成を示す図である。
【００７２】
例１では、ＰＲＡＣＨパラメータに基づき、ＮＺＣ＝８３９、ＮＣＳ＝１３が選択される。したがって、６４通りのプリアンブル系列を生成するために必要なＺＣ系列数Ｍ１は、以下の式（５）の通りとなる。
【数５】
0005331763.tif 000006
【００７３】
また、ＺＣ系列数Ｍ１及び論理系列値から、ｕ＝５６が選択される。この場合、ｕ＝５６から生成されたＺＣ系列が左方向に１３サンプル単位で巡回シフトされ、６４通りのプリアンブル系列候補群が生成される。
【００７４】
例２では、ＰＲＡＣＨパラメータに基づき、ＮＺＣ＝８３９、ＮＣＳ＝２６が選択される。したがって、６４通りのプリアンブル系列を生成するために必要なＺＣ系列数Ｍ２は、以下の式（６）の通りとなる。
【数６】
0005331763.tif 000007
【００７５】
また、ＺＣ系列数Ｍ２及び論理系列値から、ｕ＝８０、７５９の２つが選択される。この場合、２つのＺＣ系列がそれぞれ左方向に２６サンプル単位で巡回シフトされ、計６４通りのプリアンブル系列候補群が生成される。
【００７６】
そして、通信端末装置は、生成した６４通りのプリアンブル系列候補郡の中から、１つをランダムに選択する。そして、通信端末装置は、基地局装置から通知されたＰＲＡＣＨパラメータに含まれる送信タイミング値及び周波数開始番号に対応する、時間及び周波数リソースを用いて、選択したプリアンブル系列のＰＲＡＣＨを送信する。
【００７７】
すなわち、ＭＵＥ２１０、第１のＨＵＥ３１０、及び第２のＨＵＥ４１０は、それぞれ、生成したプリアンブル系列ｍ、ｈ１、ｈ２を送信する（図７のＳＴ１１８、ＳＴ１１９、ＳＴ１２０）。同時に、図示しないが、ＭＵＥｘ、ＨＵＥ１ｘ、ＨＵＥ２ｘからは、ＰＵＳＣＨ等、他のチャネルが送信される。
【００７８】
このような動作により、ネットワークシステム１００は、ＭｅＮＢ２００、第１のＨｅＮＢ３００、及び第２のＨｅＮＢ４００のプリアンブルに対して、異なるＺＣ系列を適用してＣｏｄｅ多重を実現することができる。そして、ネットワークシステム１００は、これにより、ＭｅＮＢ２００、第１のＨｅＮＢ３００、及び第２のＨｅＮＢ４００のプリアンブルを、同一の時間及び同一の周波数リソースに配置することができる。
【００７９】
図１０〜図１３は、順に、ＭｅＮＢ２００、第１のＨｅＮＢ３００、第２のＨｅＮＢ４００、及びネットワークシステム１００全体の、上りフレームフォーマットの各例を示す図である。図１０〜図１３において、横のハッチングの領域はＰＲＡＣＨを示し、格子のハッチングの領域は多重化されたＰＲＡＣＨを示し、ドットの領域はＰＲＡＣＨ以外のチャネルを示す。
【００８０】
図１０〜図１３に示すように、サブフレームＴで形成されるＭＵＥ２１０、第１のＨＵＥ３１０、及び第２のＨＵＥ４１０からのプリアンブルは、全てＲＢ３〜ＲＢ８に配置される。但し、これらのプリアンブルには、それぞれ異なる物理系列値が適用されている。したがって、これらのプリアンブル間の干渉は抑えられることになる。
【００８１】
すなわち、ネットワークシステム１００におけるＭｅＮＢ２００のスケジューラは、上述の非特許文献２記載の技術のように、ＨＵＥ２１０のプリアンブル用に特段の無線リソースを空ける必要が無い。これにより、ネットワークシステム１００は、非特許文献２記載の技術に比べて、無線リソースをより有効に利用することができる。
【００８２】
通常、ＨｅＮＢの数は、使用ユーザのサービス開始または解約等によって時々刻々変化する。したがって、非特許文献２記載の技術では、ＭｅＮＢが空けるリソースを都度見直す必要があり、結果的にＭｅＮＢとＨｅＮＢとの間のシグナリング量は増大する。本実施の形態によれば、このような見直しが不要となるため、ＭｅＮＢとＨｅＮＢとの間のシグナリング量を低減させることができる。
【００８３】
このように、本実施の形態によれば、複数のセル間でプリアンブルの送信系列が重複しないようにするので、所定のリソースを確保しつつ、セル間のプリアンブルの干渉を抑制することができる。
【００８４】
（実施の形態２）
本発明の実施の形態２は、複数のＨＵＥで重複する周波数リソースを使用し、ＭＵＥとＨＵＥとの間では異なる周波数リソースを使用する例である。本実施の形態が実施の形態１と異なる主な点は、パラメータ決定部５３０の動作である。以下、パラメータ決定部５３０の動作に着目して説明を行う。
【００８５】
図１４は、本実施の形態に係るネットワーク管理装置の動作の一例を示すフローチャートであり、実施の形態１の図４に対応するものである。図４と同一部分には同一ステップ番号を付し、これについての説明を省略する。
【００８６】
パラメータ決定部５３０は、ステップＳＴ１２００において受信されたＰＲＡＣＨパラメータｍを入力されると、ステップＳＴ１５１０へ進む。
【００８７】
ステップＳＴ１５１０において、パラメータ決定部５３０は、第１のＨｅＮＢ３００と第２のＨｅＮＢ４００とに対して異なる論理系列値を決定する。言い換えると、パラメータ決定部５３０は、第１のＨｅＮＢ３００の物理系列値ｕと第２のＨｅＮＢ４００の物理系列値ｕとを、異なる値に設定する。なお、ＭｅＮＢ２００との関係では、論理系列値及び物理系列値ｕは、重複しても良いし重複しなくても良い。
【００８８】
図１５は、ＰＲＡＣＨパラメータの値の一例を示す図であり、実施の形態１の図５に対応するものである。
【００８９】
本実施の形態のパラメータ決定部５３０は、例えば、図１５に示すように、ＰＲＡＣＨパラメータｈ１の論理系列値を「３０」に決定し、ＰＲＡＣＨパラメータｈ２の論理系列値を「３３」に決定する。なお、この場合、図１６に示すように、ＰＲＡＣＨパラメータｈ１、ｈ２の物理系列値ｕは、上述の変換テーブルにより、それぞれ「８０」、「７９７」となる。
【００９０】
そして、図１４のステップＳＴ１６１０において、パラメータ決定部５３０は、第１のＨｅＮＢ３００と第２のＨｅＮＢ４００との間では周波数位置が重複し、これらとＭｅＮＢ２００との間では周波数位置が重複しないように、ＰＲＡＣＨパラメータｈ１、ｈ２を決定する。そして、パラメータ決定部５３０は、決定したＰＲＡＣＨパラメータｈ１、ｈ２を、パラメータ通知部５４０へ出力して、ステップＳＴ１７００へ進む。
【００９１】
本実施の形態のパラメータ決定部５３０は、例えば、図１５に示すように、送信タイミング値、ＮＣＳ構成値、高速フラグ値、及び周波数開始番号を、それぞれＰＲＡＣＨパラメータｈ１、ｈ２で共通の値に決定する。但し、パラメータ決定部５３０は、ＰＲＡＣＨパラメータｈ１、ｈ２の周波数開始番号を、ＰＲＡＣＨパラメータｍとの間で周波数位置が重複しない番号に決定する。実施の形態１で説明した通り、周波数開始番号＝３の場合にはＲＢ番号３〜８が使用されるため、例えば、図１５に示すように、「９」がＰＲＡＣＨパラメータｈ１、ｈ２の周波数開始番号に決定される。周波数開始番号＝９は、ＲＢ番号９〜１４の計６ＲＢがＰＲＡＣＨの送信に使用されることを意味する。
【００９２】
そして、パラメータ通知部５４０は、ＰＲＡＣＨパラメータｈ１、ｈ２を第１のＨｅＮＢ３００及び第２のＨｅＮＢ４００へそれぞれ通知する（ＳＴ１７００）。また、パラメータ通知部５４０は、ステップＳＴ１７１０において、ＰＲＡＣＨパラメータｈ１、ｈ２の少なくとも一方、ＭｅＮＢ２００へ通知する。
【００９３】
この結果、実施の形態１の図７で説明した通り、各基地局装置は、ＰＲＡＣＨに割り当てられるＲＢ番号と重複しないように、ＰＲＡＣＨ以外のチャネルにＲＢ番号を割り当てる（図１５の例の場合、ＲＢ番号３〜１４以外のＲＢ番号）。
【００９４】
また、本実施の形態に係るＭｅＮＢ２００は、パラメータ通知部５４０は、プリアンブルにおいて、第１のＨｅＮＢ３００及び第２のＨｅＮＢ４００がプリアンブル送信に使用するＲＢを使用しないようにするものとする。このＲＢの特定は、ＦＧＷ５００から通知されるＰＲＡＣＨパラメータｈ１またはＰＲＡＣＨパラメータｈ２に基づいて行われる。
【００９５】
図１７〜図２０は、順に、ＭｅＮＢ２００、第１のＨｅＮＢ３００、第２のＨｅＮＢ４００、及びネットワークシステム１００全体の、上りフレームフォーマットの各例を示す図であり、実施の形態１の図１０〜図１３に対応するものである。図１７〜図２０において、無地の領域は使用されないチャネル（ブランクのチャネル）を示す。
【００９６】
図１７〜図２０に示すように、第１のＨＵＥ３１０からのプリアンブルは、ＲＢ３〜ＲＢ８に配置され、ＭＵＥ２１０及び第２のＨＵＥ４１０からのプリアンブルは、ＲＢ９〜ＲＢ１４に配置される。但し、ＭＵＥ２１０及び第２のＨＵＥ４１０からのプリアンブルには、異なる物理系列値が適用されている。したがって、これらのプリアンブル間の干渉は抑えられることになる。
【００９７】
プリアンブルの送信電力は、基地局装置と通信端末装置との間のパスロスに比例して大きくなる。一般に、ＭｅＮＢはセル半径が大きいため、パスロスも大きくなり、結果的にプリアンブルの送信電力は高くなる傾向にある。これに対し、ＨｅＮＢはセル半径が小さいため、結果的にプリアンブルの送信電力は低くなる傾向にある。したがって、通常、ＭＵＥのプリアンブルの送信電力とＨＵＥのプリアンブルの送信電力との差は大きい。ところが、プリアンブルの電力差が大きい場合、直交性が崩れ、プリアンブルの誤検出の原因となる。特に、ＨｅＮＢは、ＭＵＥが送信したプリアンブルを誤って検出し易くなる。
【００９８】
本実施の形態によれば、上述の通り、ＭＵＥとＨＵＥとの間でプリアンブルの周波数位置を重複させないので、実施の形態１に比べて、ＨｅＮＢにおけるプリアンブルの誤検出をより低減することができる。但し、各基地局装置において無送信リソース（blank resource）が発生するため、リソースの有効利用の観点では、実施の形態１のほうが有利である。
【００９９】
なお、上記の実施の形態１及び実施の形態２において、ＦＧＷは、ＰＲＡＣＨパラメータｍを、ＭｅＮＢから取得するものとしたが、必ずしもＭｅＮＢから取得しなくても良い。また、取得するパラメータはＰＲＡＣＨパラメータに制限されず、例えばＭｅＮＢにおける他のチャネルに関するパラメータやＭｅＮＢのセルＩＤ情報を取得し、同様の手順によりＦＧＷがＨｅＮＢの各パラメータを決定しても良い。また、ＦＧＷが管理対象とするＭｅＮＢ及びＨｅＮＢの数は、上述の例に制限されない。
【０１００】
（実施の形態３）
本発明の実施の形態３は、ＨｅＮＢによるプリアンブルのピークサーチ範囲を、ＭｅＮＢによるプリアンブルのピークサーチ範囲よりも狭くする例である。
【０１０１】
図２１は、本実施の形態に係る基地局装置としてのＨｅＮＢの構成の一例を示すブロック図である。本実施の形態のＨｅＮＢは、例えば、実施の形態１及び実施の形態２の第１のＨｅＮＢ３００及び第２のＨｅＮＢ４００に適用される。
【０１０２】
図２１に示すように、ＨｅＮＢ７００は、アンテナ７０１と、ＲＦ部７０２と、ＣＰ（cyclic prefix）除去部７０３と、ＤＦＴ（discrete Fourier transform）部７０４と、制御部７０５と、リソースデマッピング部７０６と、プリアンブルレプリカ生成部７０７と、相関演算部７０８と、ＩＤＦＴ（inverse discrete Fourier transform）部７０９と、ピークサーチ範囲決定部７１０と、プリアンブル検出部７１１とから主に構成される。アンテナ７０１〜相関演算部７０８および制御部７０５は、受信手段に対応する。ピークサーチ範囲決定部７１０及びプリアンブル検出部７１１は、プリアンブル検出手段に対応する。
【０１０３】
アンテナ７０１は、配下の通信端末装置から高周波信号を受信してＲＦ部７０２へ出力する。
【０１０４】
ＲＦ部７０２は、入力された高周波信号をベースバンド信号に周波数変換して、ＣＰ除去部７０３へ出力する。
【０１０５】
ＣＰ除去部７０３は、入力されたベースバンド信号であるＳＣ−ＦＤＭＡ信号より、あらかじめ定めたシンボルタイミングに基づきＣＰを除去する。また、ＣＰ除去部７０３は、ＣＰを除去した信号を、ＤＦＴ部７０４へ出力する。
【０１０６】
ＤＦＴ部７０４は、入力されたＳＣ−ＦＤＭＡ信号に対して離散フーリエ変換処理を行い、離散フーリエ変換処理を行った信号を、リソースデマッピング部７０６へ出力する。
【０１０７】
制御部７０５は、ＰＲＡＣＨパラメータを管理する。制御部７０５は、リソースデマッピング部７０６に対して周波数開始番号を、プリアンブルレプリカ生成部７０７に対して送信タイミング値、論理系列値、ＮＣＳ構成値、及び高速フラグ値を、それぞれ出力する。これらのＰＲＡＣＨパラメータは、上述の通り、ＦＧＷ５００によって管理されるパラメータである。
【０１０８】
リソースデマッピング部７０６は、制御部７０５から入力される周波数開始番号に基づいて、ＤＦＴ部７０４から入力されるＳＣ−ＦＤＭＡ信号から、必要なプリアンブルを抽出する。また、リソースデマッピング部７０６は、抽出したプリアンブルを、相関演算部７０８へ出力する。
【０１０９】
プリアンブルレプリカ生成部７０７は、入力されるＰＲＡＣＨパラメータから、プリアンブルレプリカを生成し、相関演算部７０８へ出力する。
【０１１０】
具体的には、まず、プリアンブルレプリカ生成部７０７は、以下の式（７）にＰＲＡＣＨパラメータを適用して得られる信号に対して、以下の式（８）で表される離散フーリエ変換を行うことにより、周波数領域のプリアンブルレプリカを生成する。
【数７】
0005331763.tif 000008
【数８】
0005331763.tif 000009
【０１１１】
相関演算部７０８は、リソースデマッピング部７０６から入力される受信プリアンブルと、プリアンブルレプリカ生成部７０７から入力されるプリアンブルレプリカとに対して、相関演算を行う。また、相関演算部７０８は、演算結果である相関関数を、ＩＤＦＴ部７０９へ出力する。
【０１１２】
具体的には、相関演算部７０８は、受信プリアンブル系列をＹＨｅＮＢ（ｋ）とすると、以下の式（９）で表される相関関数ＺＨｅＮＢ（ｋ）を算出する。
【数９】
0005331763.tif 000010
【０１１３】
ＩＤＦＴ部７０９は、入力された相関関数に対して逆離散フーリエ変換処理を行い、処理結果を、プリアンブル検出部７１１へ出力する。
【０１１４】
具体的には、ＩＤＦＴ部７０９は、入力された相関関数ＺＨｅＮＢ（ｋ）に対し、以下の式（１０）で表される逆離散フーリエ変換を行い、信号ｚＨｅＮＢを得る。
【数１０】
0005331763.tif 000011
【０１１５】
ピークサーチ範囲決定部７１０は、電力遅延プロファイルのピークサーチ範囲を決定し、決定結果をプリアンブル検出部７１１へ出力する。
【０１１６】
具体的には、ピークサーチ範囲決定部７１０は予めセル半径の情報を取得しており、セル半径をｒ［ｍ］、光速をｃ［ｍ／ｓｅｃ］とすると、以下の式（１１）で表されるプリアンブルの最大遅延時間ＴＭＡＸを求める。
【数１１】
0005331763.tif 000012
【０１１７】
なお、サンプリング周波数をｆｓ［Ｈｚ］とすると、電力プロファイルのピークサーチ範囲のサンプル数ＮＰＳは、以下の式（１２）で表される。
【数１２】
0005331763.tif 000013
【０１１８】
例えば、第１のＨｅＮＢのセル半径が２０［ｍ］、サンプリング周波数が３０．７２［ＭＨｚ］であり、光速を３×１０８［ｍ／ｓ］とすると、サンプル数ＮＰＳは５となる。
【０１１９】
プリアンブル検出部７１１は、ＩＤＦＴ部７０９から入力された信号に対して、ピークサーチ範囲決定部７１０から入力されたピークサーチ範囲を対象として、プリアンブルの検出を行う。
【０１２０】
具体的には、プリアンブル検出部７１１は、まず、ＩＤＦＴ部７０９から入力された信号ｚＨｅＮＢ（ｌ）を、以下の式（１３）で表される電力遅延プロファイルＰＨｅＮＢ（ｌ）に変換する。
【数１３】
0005331763.tif 000014
【０１２１】
そして、プリアンブル検出部７１１は、電力遅延プロファイルＰＨｅＮＢ（ｌ）のうち、０≦ｌ≦ＮＰＳの範囲に限定して、ピークサーチを行う。その結果、ＰＨｅＮＢ（ｌ）のピークレベルが所定の判定閾値を超えていた場合に、プリアンブル検出部７１１は、プリアンブルが検出されたと判定する。
【０１２２】
図２２は、ＨｅＮＢ７００におけるピークサーチ範囲の限定の効果を説明するための図である。横軸は時間を示し、縦軸は電力遅延プロファイルＰＨｅＮＢ（ｌ）のレベルを示す。また、図２３は、比較のために、ＭｅＮＢ２００によるピークサーチ範囲を示す図である。
【０１２３】
図２２において、折れ線は、ＨｅＮＢ７００に属するＨＵＥがプリアンブルを送信しておらず、かつ、他セルからのプリアンブルが時間ｔｐにＨｅＮＢ７００において受信されている状態における、電力遅延プロファイルの一例を示す。ここで、図２２に示すように、電力遅延プロファイルが、他セルからのプリアンブルにより、時間ｔｐ付近で判定閾値を超えているものとする。
【０１２４】
ＨｅＮＢ７００のピークサーチ範囲が、図２３に示すＭｅＮＢ２００におけるピークサーチ範囲のように広い場合、ＨｅＮＢ７００は、プリアンブルが検出されたとの誤判定を行ってしまう。そこで、ＨｅＮＢ７００は、上述の通り、ピークサーチ範囲を、０〜ＮＰＳの範囲に限定している。これにより、時刻ｔｐのピークは検出されず、プリアンブルは検出されないと正しく判定を行うことができる。
【０１２５】
ＭｅＮＢ２００のセル半径は広いため、ＭＵＥ２１０のプリアンブルが所望のタイミングから大きく遅れてＭｅＮＢ２００に到着することがある。そのため、ＭｅＮＢ２００は、図２３に示すように、広い範囲に渡ってピークサーチを行う必要がある。これに対し、ＨｅＮＢ７００のセル半径は狭いため、ＨＵＥのプリアンブルの遅延時間は非常に短く、図２２に示すように、ピークサーチ範囲を絞ることが可能である。
【０１２６】
このように、本実施の形態によれば、ＨｅＭＢにおけるプリアンブルの誤検出を低減することができる。したがって、ＨＵＥの上り送信電力を低減することが可能となるので、所定のリソースを確保しつつ、セル間のプリアンブルの干渉を更に抑制することができる。特に、本実施の形態は、実施の形態１と組み合わせて実施する事により、遠方のＭＵＥからのプリアンブルの誤検出を効果的に防止することができる。
【産業上の利用可能性】
【０１２７】
本発明にかかるネットワーク管理装置、基地局装置及びネットワーク管理方法は、所定のリソースを確保しつつ、セル間のプリアンブルの干渉を抑制することができるネットワーク管理装置、基地局装置及びネットワーク管理方法として有用である。
【符号の説明】
【０１２８】
１００  ネットワークシステム
２００  ＭｅＮＢ
２１０  ＭＵＥ
３００  第１のＨｅＮＢ
３１０  第１のＨＵＥ
３２０  第１のセル
４００  第２のＨｅＮＢ
４１０  第２のＨＵＥ
４２０  第２のセル
５００  ＦＧＷ
５１０  通信部
５２０  パラメータ取得部
５３０  パラメータ決定部
５４０  パラメータ通知部
７００  ＨｅＮＢ
７０１  アンテナ
７０２  ＲＦ部
７０３  ＣＰ除去部
７０４  ＤＦＴ部
７０５  制御部
７０６  リソースデマッピング部
７０７  プリアンブルレプリカ生成部
７０８  相関演算部
７０９  ＩＤＦＴ部
７１０  ピークサーチ範囲決定部
７１１  プリアンブル検出部
【図１】
0005331763.tif 000015
【図２】
0005331763.tif 000016
【図３】
0005331763.tif 000017
【図４】
0005331763.tif 000018
【図５】
0005331763.tif 000019
【図６】
0005331763.tif 000020
【図７】
0005331763.tif 000021
【図８】
0005331763.tif 000022
【図９】
0005331763.tif 000023
【図１０】
0005331763.tif 000024
【図１１】
0005331763.tif 000025
【図１２】
0005331763.tif 000026
【図１３】
0005331763.tif 000027
【図１４】
0005331763.tif 000028
【図１５】
0005331763.tif 000029
【図１６】
0005331763.tif 000030
【図１７】
0005331763.tif 000031
【図１８】
0005331763.tif 000032
【図１９】
0005331763.tif 000033
【図２０】
0005331763.tif 000034
【図２１】
0005331763.tif 000035
【図２２】
0005331763.tif 000036
【図２３】
0005331763.tif 000037